(57)【要約】      （修正有）【課題】簡易な構成で光を伝播するコアとレンズとが高精度に位置合わせされた光コネクタを提供する。【解決手段】光コネクタ１００は、光を伝播する複数のコアが幅方向に配列された光導波路１１０と、光導波路１１０の先端が接する先端基準面と、前記光導波路の第１面が接する第１基準面と、複数のコアに対向するレンズアレイ１３１と、開口部１３３とを備えるコネクタ本体１３０と、光導波路１１０の第２面に接して光導波路１１０を第１基準面に押圧する押圧部と、幅方向において光導波路１１０の一方側端部に接する第１位置決め部とを備え、開口部１３３に組み付けられる位置決め部材１５０と、を有する。【選択図】図１
2015155969.tif 000002
【特許請求の範囲】
【請求項１】
光を伝播する複数のコアが幅方向に配列された光導波路と、
前記光導波路の先端が接する先端基準面と、前記光導波路の第１面が接する第１基準面と、前記複数のコアに対向するレンズアレイと、開口部とを備えるコネクタ本体と、
前記光導波路の第２面に接して前記光導波路を前記第１基準面に押圧する押圧部と、前記幅方向において前記光導波路の一方側端部に接する第１位置決め部とを備え、前記開口部に組み付けられる位置決め部材と、を有する
ことを特徴とする光コネクタ。
【請求項２】
前記第１位置決め部は、その先端に傾斜面を有する
ことを特徴とする請求項１に記載の光コネクタ。
【請求項３】
前記位置決め部材は、前記幅方向において前記光導波路の他方側端部に接する第２位置決め部を有する
ことを特徴とする請求項１又は２に記載の光コネクタ。
【請求項４】
前記第２位置決め部は、その先端に傾斜面を有する
ことを特徴とする請求項３に記載の光コネクタ。
【請求項５】
前記コネクタ本体は、前記幅方向において前記光導波路の他方側端部に接する第２基準面を有することを特徴とする請求項１又は２に記載の光コネクタ。
【請求項６】
前記コネクタ本体は、
前記光導波路の他方側端部に接する第２基準面と、
前記第２基準面に対向して設けられ、前記先端基準面に向かって前記第２基準面との間の間隔が小さくなるガイド面と、を有する
ことを特徴とする請求項１又は２に記載の光コネクタ。
【請求項７】
前記押圧部は、前記光導波路のコアが設けられていない部分を押圧する
ことを特徴とする請求項１から６の何れか一項に記載の光コネクタ。
【請求項８】
前記位置決め部材は、前記開口部の側壁との間で、前記光導波路の設置空間から外部に通じる空気抜き溝を有する
ことを特徴とする請求項１から７の何れか一項に記載の光コネクタ。
【請求項９】
光信号を伝播する複数のコアが幅方向に配列された光導波路と、
前記光導波路の先端が接する先端基準面と、前記光導波路の第１面が接する第１基準面と、前記複数のコアに対向するレンズアレイと、開口部とを備えるコネクタ本体と、
を有する光コネクタの製造方法であって、
前記光導波路を、前記先端が前記先端基準面に接し、前記第１面が前記第１基準面に接する様に前記コネクタ本体に設置し、
前記光導波路の第２面に接して前記光導波路を前記第１基準面に押圧する押圧部と、前記幅方向において前記光導波路の一方側端部に接する第１位置決め部とを備える位置決め治具を前記開口部に挿入して前記光導波路の位置決めをする
ことを特徴とする光コネクタの製造方法。
【発明の詳細な説明】
【技術分野】
【０００１】
本発明は、光コネクタ及び光コネクタの製造方法に関する。
【背景技術】
【０００２】
例えば光導波路同士の接続に用いられる光コネクタには、光を伝播するコアの端部に対向する位置にレンズを有する構成が知られている。この様な構成において、接続損失を低減するためには、コアとレンズとが光路に沿って対向する様に高精度に位置決めされている必要がある。
【０００３】
そこで、嵌合用突起が設けられたレンズアレイと、嵌合用突起と嵌合するテーパ状位置決め溝が設けられた光導波路とを備え、嵌合用突起がテーパ状位置決め溝に嵌合することで光軸が位置合わせされる光結合器が開示されている（例えば、特許文献１）。
【先行技術文献】
【特許文献】
【０００４】
【特許文献１】特開２００８−８９８７９号公報
【発明の概要】
【発明が解決しようとする課題】
【０００５】
しかしながら、上記した構成では、嵌合用突起やテーパ状位置決め溝を設ける必要があり、部品構造が複雑化する。また、複雑な形状の部品を寸法精度良く形成することは難しい。したがって、レンズアレイと光導波路との高精度な位置合わせが困難であり、接続損失を低減出来ない可能性がある。
【０００６】
本発明は上記に鑑みてなされたものであって、簡易な構成で光を伝播するコアとレンズとが高精度に位置合わせされた光コネクタを提供することを目的とする。
【課題を解決するための手段】
【０００７】
本発明の一態様の光コネクタによれば、光を伝播する複数のコアが幅方向に配列された光導波路と、前記光導波路の先端が接する先端基準面と、前記光導波路の第１面が接する第１基準面と、前記複数のコアに対向するレンズアレイと、開口部とを備えるコネクタ本体と、前記光導波路の第２面に接して前記光導波路を前記第１基準面に押圧する押圧部と、前記幅方向において前記光導波路の一方側端部に接する第１位置決め部とを備え、前記開口部に組み付けられる位置決め部材と、を有する。
【発明の効果】
【０００８】
本発明の実施形態によれば、簡易な構成で光を伝播するコアとレンズとが高精度に位置合わせされた光コネクタを提供できる。
【図面の簡単な説明】
【０００９】
【図１】第１の実施形態における光コネクタの構成を例示する図である。
【図２】第１の実施形態におけるコネクタ本体の構成を例示する図である。
【図３】第１の実施形態におけるコネクタ本体の構成を例示する断面図である。
【図４】第１の実施形態における位置決め部材の構成を例示する図である。
【図５】第１の実施形態における位置決め部材の構成を例示する拡大図である。
【図６】第１の実施形態における光導波路の位置決めについて説明する図である。
【図７】第２の実施形態における光コネクタの構成を例示する図である。
【図８】第２の実施形態におけるコネクタ本体の構成を例示する図である。
【図９】第２の実施形態におけるコネクタ本体の構成を例示する断面図である。
【図１０】第２の実施形態における位置決め部材の構成を例示する図である。
【図１１】第２の実施形態における位置決め部材の構成を例示する拡大図である。
【図１２】第２の実施形態における光導波路の位置決めについて説明する図である。
【図１３】第３の実施形態における光コネクタの構成を例示する図である。
【図１４】第３の実施形態におけるコネクタ本体の構成を例示する図である。
【図１５】第３の実施形態におけるコネクタ本体の構成を例示する断面図である。
【図１６】第３の実施形態における位置決め部材の構成を例示する図である。
【図１７】第３の実施形態における光導波路の位置決めについて説明する図である。
【図１８】第４の実施形態における光コネクタの構成を例示する図である。
【図１９】第４の実施形態におけるコネクタ本体の構成を例示する図である。
【図２０】第４の実施形態におけるコネクタ本体の構成を例示する断面図である。
【図２１】第４の実施形態における位置決め部材の構成を例示する図である。
【図２２】第４の実施形態における光導波路の位置決めについて説明する図である。
【図２３】第５の実施形態における光コネクタ及び治具の構成を例示する図である。
【図２４】第５の実施形態におけるコネクタ本体の構成を例示する図である。
【図２５】第５の実施形態におけるコネクタ本体の構成を例示する断面図である。
【図２６】第５の実施形態における治具の構成を例示する図である。
【図２７】第５の実施形態における軸の構成を例示する拡大図である。
【図２８】第５の実施形態における光導波路の位置決めについて説明する図である。
【図２９】第５の実施形態における光導波路の位置決めについて説明する図である。
【図３０】第６の実施形態における光コネクタ及び治具の構成を例示する図である。
【図３１】第６の実施形態におけるコネクタ本体の構成を例示する図である。
【図３２】第６の実施形態におけるコネクタ本体の構成を例示する断面図である。
【図３３】第６の実施形態における治具の構成を例示する図である。
【図３４】第６の実施形態における軸の構成を例示する拡大図である。
【図３５】第６の実施形態における光導波路の位置決めについて説明する図である。
【発明を実施するための形態】
【００１０】
以下、図面を参照して発明を実施するための形態について説明する。各図面において、同一構成部分には同一符号を付し、重複した説明を省略する場合がある。
【００１１】
[第１の実施形態]
（光コネクタ）
図１は、第１の実施形態における光コネクタ１００の構成を例示する図である。図１に示す様に、光コネクタ１００は、光導波路１１０、コネクタ本体１３０、位置決め部材１５０を有する。
【００１２】
なお、以下に示す図面において、Ｘ方向は光コネクタ１００の幅方向、Ｙ方向は光コネクタ１００の奥行方向、Ｚ方向は光コネクタ１００の高さ方向を示している。また、以下の説明において、Ｙ方向におけるコネクタ本体１３０のレンズアレイ１３１側を前面、レンズアレイ１３１の反対側を背面、Ｚ方向におけるコネクタ本体１３０の開口部１３３側を上、開口部１３３とは反対側を下として説明する場合がある。
【００１３】
光導波路１１０は、平坦なフィルム状に形成され、内部に光を伝播する複数のコアがＸ方向に配列されている。コアは、例えば石英ガラス等で構成され、コアよりも屈折率が小さい透明樹脂等で形成されるクラッドにより周囲が覆われている。
【００１４】
コネクタ本体１３０は、レンズアレイ１３１、開口部１３３、光コネクタ１００を他のコネクタと接続する際に接続ピンが挿入される接続ピン用孔１３５を有する。コネクタ本体１３０は、例えば伝搬光（例えばλ＝８５０ｎｍ）に対し透明（透過率が十分に高い）な樹脂を用いてモールド成型により形成される。レンズアレイ１３１は、複数のレンズがＸ方向に配列され、各レンズがコネクタ本体１３０に設置される光導波路１１０のコアの端部に対向する様に設けられている。開口部１３３は、コネクタ本体１３０の上面側に設けられ、位置決め部材１５０が組み付けられる。位置決め部材１５０は、コネクタ本体１３０の開口部１３３に挿入されて組み付けられる。コネクタ本体１３０に設置される光導波路１１０は、開口部１３３に組み付けられる位置決め部材１５０により位置決めされ、複数のコアがコネクタ本体１３０のレンズアレイ１３１に対向する様に設けられる。
【００１５】
（コネクタ本体）
図２は、第１の実施形態におけるコネクタ本体１３０の構成を例示する図であり、（Ａ）は上面図、（Ｂ）は正面図、（Ｃ）は側面図、（Ｄ）は底面図、（Ｅ）は背面図を示している。
【００１６】
コネクタ本体１３０の上面には、図２（Ａ）に示す様に、矩形の開口部１３３が設けられている。また、コネクタ本体１３０の前面には、図２（Ｂ）に示す様に、レンズアレイ１３１が設けられている。接続ピン用孔１３５は、コネクタ本体１３０の前面に設けられている。接続ピン用孔１３５は、コネクタ本体１３０の前面から背面まで貫通する様に設けられてもよく、背面まで貫通しない様に設けられてもよい。コネクタ本体１３０の背面には、図２（Ｅ）に示す様に、光導波路１１０が挿入される挿入口１３７が設けられている。
【００１７】
図３は、第１の実施形態におけるコネクタ本体１３０の構成を例示する断面図であり、（Ａ）は図２（Ｃ）のＣ−Ｃ断面図、（Ｂ）は図２（Ｂ）のＡ−Ａ断面図、（Ｃ）は図２（Ｂ）のＢ−Ｂ断面図である。
【００１８】
コネクタ本体１３０は、開口部１３３及び挿入口１３７に連結する空間が内部に形成されており、この空間に光導波路１１０が挿入されて設置される。コネクタ本体１３０は、図３（Ａ）及び（Ｂ）に示す様に、光導波路１１０の下面に接し、コアの端面がレンズアレイ１３１に対向する様に、高さ方向における光導波路１１０の位置決めをする基準面１４１を有する。また、コネクタ本体１３０は、図３（Ｂ）及び（Ｃ）に示す様に、光導波路１１０の先端に接し、奥行方向における光導波路１１０の位置決めをする先端基準面１４３を有する。光導波路１１０は、挿入口１３７から挿入され、先端が先端基準面１４３に接し、下面が基準面１４１に接する様にコネクタ本体１３０に設けられる。
【００１９】
接続ピン用孔１３５は、幅方向においてレンズアレイ１３１を挟む様に２か所に設けられ、コネクタ本体１３０の前面から奥行方向に平行に設けられている。なお、図３（Ｃ）では、接続ピン用孔１３５がコネクタ本体１３０の前面から背面まで貫通しているが、背面まで貫通しない様に接続ピン用孔を形成してもよい。
【００２０】
（位置決め部材）
図４は、第１の実施形態における位置決め部材１５０の構成を例示する図であり、（Ａ）は上面図、（Ｂ）は正面図、（Ｃ）は側面図、（Ｄ）は底面図である。
【００２１】
位置決め部材１５０には、図４（Ｂ）及び（Ｄ）に示す様に、下面から突出する中央押圧部１５３、第１位置決め部１５４、第２位置決め部１５５が設けられている。中央押圧部１５３、第１位置決め部１５４及び第２位置決め部１５５は、図４（Ｄ）に示す様に、それぞれ奥行方向に延びる様に設けられている。
【００２２】
中央押圧部１５３は、位置決め部材１５０がコネクタ本体１３０に組み付けられた状態で、光導波路１１０の上面に接し、光導波路１１０をコネクタ本体１３０の基準面１４１に押圧する。光導波路１１０は、中央押圧部１５３によって押圧されることで、下面が基準面１４１に面接触し、高さ方向に位置決めされる。
【００２３】
なお、位置決め部材１５０の中央押圧部１５３は、光導波路１１０のコアが設けられていない部分を押圧する様に設けられていることが好ましい。また、中央押圧部１５３は、複数設けられてもよい。中央押圧部１５３を複数設ける場合も、コアを押圧しない位置に設けることが好ましい。さらに、中央押圧部１５３の下面には、微小な凹凸が形成されていてもよい。光導波路１１０と中央押圧部１５３との間に塗布される接着剤が、微小な凹凸に生じる毛細管現象により光導波路１１０と中央押圧部１５３との間の全面に広がり、より強固な接合が得られる。
【００２４】
第１位置決め部１５４及び第２位置決め部１５５は、位置決め部材１５０がコネクタ本体１３０に組み付けられた状態で、それぞれ光導波路１１０の幅方向端部に接し、幅方向における光導波路１１０の位置決めをする。
【００２５】
位置決め部材１５０には、図４（Ａ）〜（Ｄ）に示す様に、例えば前面側角部に空気抜き溝１５１が設けられている。空気抜き溝１５１は、位置決め部材１５０がコネクタ本体１３０の開口部１３３に組み付けられた状態で、開口部１３３の側壁との間で光導波路１１０の設置空間から外部に通じる空隙を形成する。位置決め部材１５０をコネクタ本体１３０の開口部１３３に挿入する際に、コネクタ本体１３０の内部の空気が空気抜き溝１５１から外部に抜けることで、位置決め部材１５０のコネクタ本体１３０への組み付けを容易に行うことが可能になっている。
【００２６】
図５は、第１の実施形態における位置決め部材１５０の正面図を拡大した図である。
【００２７】
第１位置決め部１５４は、位置決め部材１５０の幅方向端部に設けられている第１ガイド部１５４ａ、第１ガイド部１５４ａの内側（中央押圧部１５３側）に設けられている第１押圧部１５４ｂを有する。第１ガイド部１５４ａは、内側面が傾斜して下端に向かって先細りする様に形成されている。
【００２８】
第２位置決め部１５５は、位置決め部材１５０の幅方向端部に設けられている第２ガイド部１５５ａ、第２ガイド部１５５ａの内側（中央押圧部１５３側）に設けられている第２押圧部１５５ｂを有する。第２ガイド部１５５ａは、内側面が傾斜して下端に向かって先細りする様に形成されている。
【００２９】
Ｘ方向において、第１ガイド部１５４ａの内側面と第２ガイド部１５５ａの内側面との間隔Ｗは、光導波路１１０の幅と等しくなる様に形成されている。
【００３０】
第１ガイド部１５４ａ及び第２ガイド部１５５ａは、位置決め部材１５０の下面から各々の下端までの高さがそれぞれ等しい。また、中央押圧部１５３、第１押圧部１５４ｂ及び第２押圧部１５５ｂは、位置決め部材１５０の下面からの高さが等しい。また、Ｚ方向において、中央押圧部１５３、第１押圧部１５４ｂ及び第２押圧部１５５ｂの下面から、第１ガイド部１５４ａ及び第２ガイド部１５５ａの下端までの高さＨは、光導波路１１０の厚さに等しくなる様に形成されている。
【００３１】
（光導波路の位置決め）
図６は、第１の実施形態における光導波路１１０の位置決めについて説明する図である。
【００３２】
図６（Ａ）に示す様に、複数のコア１１１がＸ方向に配列された光導波路１１０は、先端が図６には不図示のコネクタ本体１３０の先端基準面１４３に突き当てられ、基準面１４１に設置されている。光導波路１１０がコネクタ本体１３０に設置された状態で、コネクタ本体１３０の開口部１３３に位置決め部材１５０が挿入される。なお、図６（Ａ）に示す例では、光導波路１１０が、幅方向における基準位置よりも、位置決め部材１５０の第１位置決め部１５４側にずれて載置されている。
【００３３】
図６（Ａ）に例示する状態で、位置決め部材１５０がコネクタ本体１３０の開口部１３３に挿入されると、まず、第１位置決め部１５４の第１ガイド部１５４ａが光導波路１１０の幅方向端部（図６（Ａ）に示す右端）に接する。第１ガイド部１５４ａが光導波路１１０に接した状態で、引き続き位置決め部材１５０が開口部１３３に押し込まれると、第１ガイド部１５４ａの内側の傾斜面が光導波路１１０を押圧して幅方向（図６（Ａ）における左方向）に移動させる。
【００３４】
位置決め部材１５０がコネクタ本体１３０の開口部１３３に完全に挿入されると、図６（Ｂ）に示す様に、光導波路１１０は、中央押圧部１５３、第１押圧部１５４ｂ及び第２押圧部１５５ｂによって、基準面１４１に押圧され、高さ方向に位置決めされる。また、第１ガイド部１５４ａにより図６（Ｂ）における左方向に移動した光導波路１１０は、幅方向端部がそれぞれ第１ガイド部１５４ａ及び第２ガイド部１５５ａに接して固定され、幅方向に位置決めされる。
【００３５】
光導波路１１０は、上記した様に、位置決め部材１５０により高さ方向及び幅方向に位置決めされることで、複数のコア１１１の端面が、それぞれコネクタ本体１３０のレンズアレイ１３１の各レンズに対向する様に設けられる。
【００３６】
光導波路１１０が、幅方向における基準位置よりも、位置決め部材１５０の第２位置決め部１５５側にずれて載置された場合でも、第２ガイド部１５５ａが光導波路１１０を押圧して幅方向に移動させ、幅方向の位置決めをすることができる。
【００３７】
以上で説明した様に、第１の実施形態に係る光コネクタ１００によれば、位置決め部材１５０をコネクタ本体１３０の開口部１３３に嵌合させることで光導波路１１０が位置決めされ、複数のコア１１１とレンズアレイ１３１との位置合わせを簡易な構成で高精度に行うことが可能になっている。
【００３８】
[第２の実施形態]
次に、第２の実施形態について図面に基づいて説明する。なお、既に説明した実施形態と同一構成部分についての説明は省略する場合がある。
【００３９】
（光コネクタ）
図７は、第２の実施形態における光コネクタ２００の構成を例示する図である。図７に示す様に、光コネクタ２００は、光導波路２１０、コネクタ本体２３０、位置決め部材２５０を有する。
【００４０】
光導波路２１０は、第１の実施形態における光導波路と同様にフィルム状に形成され、内部に光を伝播する複数のコアがＸ方向に配列されている。
【００４１】
コネクタ本体２３０は、レンズアレイ２３１、開口部２３３、接続ピン用孔２３５を有する。コネクタ本体２３０は、例えば伝搬光に対し透明な樹脂を用いてモールド成型により形成される。レンズアレイ２３１は、複数のレンズがＸ方向に配列され、各レンズがコネクタ本体２３０に設置される光導波路２１０のコアの端部に対向する様に設けられている。開口部２３３は、コネクタ本体２３０の上面側に設けられ、位置決め部材２５０が組み付けられる。位置決め部材２５０は、コネクタ本体２３０の開口部２３３に挿入されて組み付けられる。コネクタ本体２３０に設置される光導波路２１０は、開口部２３３に組み付けられる位置決め部材２５０により位置決めされ、複数のコアがコネクタ本体２３０のレンズアレイ２３１に対向する様に設けられる。
【００４２】
（コネクタ本体）
図８は、第２の実施形態におけるコネクタ本体２３０の構成を例示する図であり、（Ａ）は上面図、（Ｂ）は正面図、（Ｃ）は側面図、（Ｄ）は底面図、（Ｅ）は背面図を示している。
【００４３】
コネクタ本体２３０の上面には、図８（Ａ）に示す様に、矩形の開口部２３３が設けられている。また、コネクタ本体２３０の前面には、図８（Ｂ）に示す様に、レンズアレイ２３１が設けられている。コネクタ本体２３０には、接続ピンが挿入される接続ピン用孔２３５が設けられている。コネクタ本体２３０の背面には、図８（Ｅ）に示す様に、光導波路２１０が挿入される挿入口２３７が設けられている。
【００４４】
図９は、第２の実施形態におけるコネクタ本体２３０の構成を例示する断面図であり、（Ａ）は図８（Ｃ）のＣ−Ｃ断面図、（Ｂ）は図８（Ｂ）のＡ−Ａ断面図、（Ｃ）は図８（Ｂ）のＢ−Ｂ断面図である。
【００４５】
コネクタ本体２３０は、開口部２３３及び挿入口２３７に連結する空間が内部に形成されており、この空間に光導波路２１０が挿入されて設置される。コネクタ本体２３０は、図９（Ａ）及び（Ｂ）に示す様に、光導波路２１０の下面が接し、コアの端面がレンズアレイ２３１に対向する様に、高さ方向における光導波路２１０の位置決めをする第１基準面２４１を有する。また、コネクタ本体２３０は、図９（Ｂ）及び（Ｃ）に示す様に、光導波路２１０の先端に接し、奥行方向における光導波路２１０の位置決めをする先端基準面２４３を有する。
【００４６】
さらに、コネクタ本体２３０は、図９（Ａ）及び（Ｃ）に示す様に、光導波路２１０の幅方向端部（図９（Ｃ）に示す左端）に接し、幅方向における光導波路２１０の位置決めをする第２基準面２４５を有する。開口部２３３における第２基準面２４５との対向面には、図９（Ｃ）に示す様に、第２基準面２４５との間隔がレンズアレイ２３１に向かって狭くなる様に傾斜面２４７が設けられている。
【００４７】
光導波路２１０は、挿入口２３７から挿入されると、幅方向の一方側端部（図９（Ｃ）に示す右端）が傾斜面２４７にガイドされて他方側端部が第２基準面２４５の近傍に位置する様にコネクタ本体２３０に設けられる。また、光導波路２１０は、先端が先端基準面２４３に接するまで挿入され、下面が第１基準面２４１に接する様にコネクタ本体２３０に設けられる。
【００４８】
接続ピン用孔２３５は、幅方向においてレンズアレイ２３１を挟む様に２か所に設けられている。
【００４９】
（位置決め部材）
図１０は、第２の実施形態における位置決め部材２５０の構成を例示する図であり、（Ａ）は上面図、（Ｂ）は左側面図、（Ｃ）は正面図、（Ｄ）は右側面図、（Ｅ）は底面図である。
【００５０】
位置決め部材２５０には、図１０（Ａ）〜（Ｅ）に示す様に、位置決め部材２５０がコネクタ本体１３０の開口部２３３に組み付けられた状態で、開口部２３３の側壁との間で光導波路２１０の設置空間から外部に通じる空隙を形成する空気抜き溝２５１が設けられている。
【００５１】
位置決め部材２５０には、図１０（Ｂ）〜（Ｅ）に示す様に、下面から突出し且つ奥行き方向に延びる中央押圧部２５３、位置決め部２５４、側端押圧部２５５が設けられている。
【００５２】
中央押圧部２５３は、位置決め部材２５０がコネクタ本体２３０に組み付けられた状態で、光導波路２１０の上面に接し、光導波路２１０をコネクタ本体２３０の第１基準面２４１に押圧する。また、側端押圧部２５５は、位置決め部材２５０がコネクタ本体２３０に組み付けられた状態で、光導波路２１０の幅方向端部の上面に接し、光導波路２１０をコネクタ本体２３０の第１基準面２４１に押圧する。光導波路２１０は、中央押圧部２５３及び側端押圧部２５５によって押圧されることで、下面が第１基準面２４１に面接触し、高さ方向に位置決めされる。
【００５３】
位置決め部２５４は、位置決め部材２５０がコネクタ本体２３０に組み付けられた状態で、光導波路２１０の幅方向端部に接する。光導波路２１０は、幅方向端部が位置決め部２５４とコネクタ本体２３０の第２基準面２４５とに接することで、幅方向に位置決めされる。
【００５４】
図１１は、第２の実施形態における位置決め部材２５０の正面図を拡大した図である。
【００５５】
位置決め部２５４は、位置決め部材２５０の幅方向端部（図１１に示す右端）に設けられているガイド部２５４ａ、ガイド部２５４ａの内側（中央押圧部２５３側）に設けられている押圧部２５４ｂを有する。ガイド部２５４ａは、内側面が傾斜して下端に向かって先細りする様に形成されている。
【００５６】
ガイド部２５４ａの内側面と側端押圧部２５５の外側面とのＸ方向の間隔Ｗは、光導波路２１０の幅と等しくなる様に形成されている。
【００５７】
中央押圧部２５３、側端押圧部２５５及び押圧部２５４ｂは、位置決め部材２５０の下面からの高さがそれぞれ等しい。また、中央押圧部２５３、側端押圧部２５５及び押圧部２５４ｂのそれぞれの下面から、ガイド部２５４ａの下端までの高さＨは、光導波路２１０の厚さに等しくなる様に形成されている。
【００５８】
（光導波路の位置決め）
図１２は、第２の実施形態における光導波路２１０の位置決めについて説明する図である。
【００５９】
図１２（Ａ）に示す様に、複数のコア２１１が配列された光導波路２１０は、先端が図１２には不図示のコネクタ本体２３０の先端基準面２４３に突き当てられ、第１基準面２４１上に設置されている。また、光導波路２１０は、コネクタ本体２３０への挿入時にコネクタ本体２３０の傾斜面２４７にガイドされて、第２基準面２４５に向けて移動する。光導波路２１０がコネクタ本体２３０に設置された状態で、コネクタ本体２３０の開口部２３３に位置決め部材２５０が挿入される。
【００６０】
図１２（Ａ）に示す様に、位置決め部材２５０がコネクタ本体２３０の開口部２３３に挿入されると、まず、位置決め部２５４のガイド部２５４ａが光導波路２１０の幅方向端部（図１２に示す右端）に接する。ガイド部２５４ａが光導波路２１０に接した状態で、引き続き位置決め部材２５０が開口部２３３に押し込まれると、ガイド部２５４ａの内側の傾斜面が光導波路２１０を押圧して幅方向（図１２における左方向）に移動させる。
【００６１】
位置決め部材２５０がコネクタ本体２３０の開口部２３３に完全に挿入されると、図１２（Ｂ）に示す様に、光導波路２１０の上面が、中央押圧部２５３、側端押圧部２５５及び押圧部２５４ｂによって、第１基準面２４１に向けて押圧され、高さ方向に位置決めされる。また、光導波路２１０は、幅方向端部がそれぞれ第２基準面２４５及びガイド部２５４ａに接して固定されることで、幅方向に位置決めされる。
【００６２】
光導波路２１０は、上記した様に、位置決め部材２５０により高さ方向及び幅方向に位置決めされることで、複数のコア２１１の端面が、それぞれコネクタ本体２３０のレンズアレイ２３１の各レンズに対向する様に設けられる。
【００６３】
以上で説明した様に、第２の実施形態に係る光コネクタ２００によれば、位置決め部材２５０をコネクタ本体２３０の開口部２３３に嵌合させることで光導波路２１０が位置決めされ、複数のコア２１１とレンズアレイ２３１との位置合わせを簡易な構成で高精度に行うことが可能になっている。
【００６４】
[第３の実施形態]
次に、第３の実施形態について図面に基づいて説明する。なお、既に説明した実施形態と同一構成部分についての説明は省略する場合がある。
【００６５】
（光コネクタ）
図１３は、第３の実施形態における光コネクタ３００の構成を例示する図である。図１３に示す様に、光コネクタ３００は、光導波路３１０、コネクタ本体３３０、位置決め部材としてのカバー３５０を有する。
【００６６】
これまでの実施形態と同様、光導波路３１０は、フィルム状に形成され、内部に光を伝播する複数のコアが配列されている。
【００６７】
コネクタ本体３３０は、レンズアレイ３３１、開口部３３３、接続ピン用孔３３５を有する。コネクタ本体３３０は、例えば伝搬光に対し透明な樹脂を用いてモールド成型により形成される。レンズアレイ３３１は、複数のレンズが光導波路３１０のコアの端部に対向する様に設けられている。開口部３３３は、コネクタ本体３３０の上面側に設けられ、カバー３５０が組み付けられる。コネクタ本体３３０に設置される光導波路３１０は、開口部３３３に組み付けられるカバー３５０により位置決めされ、複数のコアがコネクタ本体３３０のレンズアレイ３３１に対向する様に設けられる。
【００６８】
（コネクタ本体）
図１４は、第３の実施形態におけるコネクタ本体３３０の構成を例示する図であり、（Ａ）は背面図、（Ｂ）は上面図、（Ｃ）は正面図、（Ｄ）は側面図を示している。
【００６９】
コネクタ本体３３０には、図１４（Ｂ）及び（Ｄ）に示す様に、上面から側面にかけて開口部３３３が設けられている。また、コネクタ本体３３０の前面には、図１４（Ｃ）に示す様に、レンズアレイ３３１が設けられている。接続ピン用孔３３５は、レンズアレイ３３１を挟んで２か所に設けられ、コネクタ本体３３０の前面から奥行方向に平行に設けられている。また、接続ピン用孔３３５のうち一方（図１４（Ｃ）図示右側）は、奥行方向において開口部３３３の前後に設けられ、開口部３３３を覆うカバー３５０に設けられている連結孔に連結する。コネクタ本体３３０の背面には、図１４（Ａ）に示す様に、光導波路３１０が挿入される挿入口３３７が設けられている。
【００７０】
図１５は、第３の実施形態におけるコネクタ本体３３０の構成を例示する断面図であり、（Ａ）は図１４（Ｃ）のＢ−Ｂ断面図、（Ｂ）は図１４（Ｄ）のＣ−Ｃ断面図、（Ｃ）は図１４（Ｃ）のＡ−Ａ断面図である。
【００７１】
コネクタ本体３３０は、開口部３３３及び挿入口３３７に連結する空間が内部に形成されており、この空間に光導波路３１０が設置される。コネクタ本体３３０は、図１５（Ｂ）及び（Ｃ）に示す様に、光導波路３１０の下面が接し、コアの端面がレンズアレイ３３１に対向する様に、高さ方向における光導波路３１０の位置決めをする第１基準面３４１を有する。また、コネクタ本体３３０は、図１５（Ａ）及び（Ｃ）に示す様に、光導波路３１０の先端に接し、奥行方向における光導波路３１０の位置決めをする先端基準面３４３を有する。さらに、コネクタ本体３３０は、図１５（Ａ）及び（Ｂ）に示す様に、光導波路３１０の幅方向端部に接し、幅方向における光導波路３１０の位置決めをする第２基準面３４５を有する。
【００７２】
光導波路３１０は、挿入口３３７から挿入され、先端が先端基準面３４３に接すると共に、下面が第１基準面３４１に接する様にコネクタ本体３３０に設けられる。
【００７３】
（カバー）
図１６は、第３の実施形態におけるカバー３５０の構成を例示する図であり、（Ａ）は背面図、（Ｂ）は上面図、（Ｃ）は左側面図、（Ｄ）は正面図、（Ｅ）は右側面図、（Ｆ）は底面図である。
【００７４】
カバー３５０は、図１６に示す様に、コネクタ本体３３０の開口部３３３の上面側を覆う上面カバー部３５３と、開口部３３３の側面側を覆う側面カバー部３５５を有し、開口部３３３を覆う様にコネクタ本体３３０に組み付けられる。
【００７５】
カバー３５０には、図１６（Ｂ）、（Ｄ）、（Ｆ）に示す様に、カバー３５０がコネクタ本体３３０の開口部３３３に組み付けられた状態で、開口部３３３の側壁との間で光導波路３１０の設置空間から外部に通じる空隙を形成する空気抜き溝３５１が設けられている。
【００７６】
また、カバー３５０には、コネクタ本体３３０の接続ピン用孔３３５に連結する連結孔３５７が設けられている。なお、連結孔３５７の代わりに、例えば接続ピンを通す窪み等の空間がカバー３５０に設けられてもよい。
【００７７】
カバー３５０は、コネクタ本体３３０の開口部３３３に組み付けられた状態で、上面カバー部３５３の下面３５４が光導波路３１０の上面に接し、光導波路３１０をコネクタ本体３３０の第１基準面３４１に押圧する。光導波路３１０は、上面カバー部３５３の下面３５４に押圧されることで、下面が第１基準面３４１に面接触し、高さ方向に位置決めされる。
【００７８】
また、カバー３５０がコネクタ本体３３０に組み付けられた状態で、側面カバー部３５５の内側面３５６が、光導波路３１０の幅方向端部に接する。光導波路３１０は、幅方向端部が側面カバー部３５５の内側面３５６とコネクタ本体３３０の第２基準面３４５とに接する様に設けられることで、幅方向に位置決めされる。
【００７９】
上面カバー部３５３の下面３５４には、図１６（Ａ），（Ｃ），（Ｆ）に示す様に、コネクタ本体３３０の挿入口３３７側にテーパ面が設けられている。
【００８０】
なお、上面カバー部３５３の下面３５４及び側面カバー部３５５の内側面３５６には、微小な凹凸が形成されていてもよい。コネクタ本体３３０又は光導波路３１０との間に塗布される接着剤が、微小な凹凸により生じる毛細管現象により全面に行き渡り、より強固な接合が得られる。
【００８１】
（光導波路の位置決め）
図１７は、第３の実施形態における光導波路３１０の位置決めについて説明する図である。
【００８２】
図１７（Ａ）に示す様に、複数のコア３１１が配列された光導波路３１０は、先端が図１７には不図示のコネクタ本体３３０の先端基準面３４３に突き当てられた状態で、第１基準面３４１上に設置されている。光導波路３１０がコネクタ本体３３０に設置された状態で、コネクタ本体３３０の開口部３３３に光導波路３１０の上側からカバー３５０が組み付けられる。
【００８３】
図１７（Ａ）に示す様に、コネクタ本体３３０の開口部３３３へのカバー３５０の組み付け時には、まず、上面カバー部３５３の下面３５４を、光導波路３１０の上面に接触させ、側面カバー部３５５の底面をコネクタ本体３３０の開口部３３３に面接触させる。カバー３５０は、この様にコネクタ本体３３０の開口部３３３に組み付けられて、側面カバー部３５５の底面で光導波路３１０をコネクタ本体３３０の第１基準面３４１に向けて図示矢印方向に押圧する。
【００８４】
次に、図１７（Ａ）に示す状態から、図１７（Ｂ）に示す様に、カバー３５０をコネクタ本体３３０の開口部３３３に嵌る様に幅方向（図１７（Ｂ）における左方向）に移動させる。カバー３５０を図１７（Ｂ）における左方向に移動させると、まず、側面カバー部３５５の内側面３５６が、光導波路３１０の幅方向右端部（図１７（Ｂ）に示す右端部）に接触する。カバー３５０を図１７（Ｂ）における左方向にさらに移動させると、光導波路３１０が側面カバー部３５５の内側面３５６に押圧されて、第２基準面３４５に向かって移動する。
【００８５】
光導波路３１０は、カバー３５０の側面カバー部３５５に押圧されて、光導波路３１０の幅方向端部（図１７（Ｂ）に示す左端部）がコネクタ本体３３０の第２基準面３４５に当接する。光導波路３１０は、幅方向端部が側面カバー部３５５の内側面３５６及び第２基準面３４５に当接し、幅方向に位置決めされる。
【００８６】
上記した様にカバー３５０がコネクタ本体３３０の開口部３３３に組み付けられると、光導波路３１０の上面は、上面カバー部３５３の下面３５４によって第１基準面３４１に向けて押圧されることで、高さ方向に位置決めされる。また、光導波路３１０は、幅方向端部がそれぞれ第２基準面３４５及び側面カバー部３５５の内側面３５６に接して固定されることで、幅方向に位置決めされる。
【００８７】
光導波路３１０は、上記した様に、カバー３５０により高さ方向及び幅方向に位置決めされることで、複数のコア３１１の端面が、それぞれコネクタ本体３３０のレンズアレイ３３１の各レンズに対向する様に設けられる。
【００８８】
以上で説明した様に、第３の実施形態に係る光コネクタ３００によれば、カバー３５０を図１７に示す下方及び左方に移動させながらコネクタ本体３３０の開口部３３３に組み付けることで、光導波路３１０が位置決めされ、複数のコア３１１とレンズアレイ３３１との位置合わせを簡易な構成で高精度に行うことが可能になっている。
【００８９】
[第４の実施形態]
次に、第４の実施形態について図面に基づいて説明する。なお、既に説明した実施形態と同一構成部分についての説明は省略する場合がある。
【００９０】
（光コネクタ）
図１８は、第４の実施形態における光コネクタ４００の構成を例示する図である。図１８に示す様に、光コネクタ４００は、光導波路４１０、コネクタ本体４３０、位置決め部材としてのカバー４５０を有する。
【００９１】
光導波路４１０は、フィルム状に形成され、内部に光を伝播する複数のコアがＸ方向に配列されている。
【００９２】
コネクタ本体４３０は、レンズアレイ４３１、開口部４３３、接続ピン用孔４３５を有する。コネクタ本体４３０は、例えば伝搬光に対して透明な樹脂を用いてモールド成型により形成される。レンズアレイ４３１は、複数のレンズがＸ方向に配列され、各レンズがコネクタ本体４３０に設置される光導波路４１０のコアの端部に対向する様に設けられている。開口部４３３は、コネクタ本体４３０の上面側に設けられ、カバー４５０が組み付けられる。コネクタ本体４３０に設置される光導波路４１０は、開口部４３３に組み付けられるカバー４５０により位置決めされ、複数のコアがコネクタ本体４３０のレンズアレイ４３１に対向する様に設けられる。
【００９３】
（コネクタ本体）
図１９は、第４の実施形態におけるコネクタ本体４３０の構成を例示する図であり、（Ａ）は背面図、（Ｂ）は上面図、（Ｃ）は正面図、（Ｄ）は側面図を示している。
【００９４】
コネクタ本体４３０には、図１９（Ｂ）及び（Ｄ）に示す様に、上面から側面にかけて開口部４３３が設けられている。また、コネクタ本体４３０の前面には、図１９（Ｃ）に示す様に、レンズアレイ４３１が設けられている。接続ピン用孔４３５は、コネクタ本体４３０の前面に設けられている。
【００９５】
コネクタ本体４３０は、図１９（Ａ）、（Ｂ）、（Ｄ）に示す第１基準面４４１に光導波路４１０が載置された状態で、開口部４３３にカバー４５０が組み付けられる。なお、第１基準面４４１には、図１９（Ａ），（Ｂ），（Ｄ）に示す様に、レンズアレイ４３１とは反対側の端部にテーパ面が設けられている。
【００９６】
図２０は、第４の実施形態におけるコネクタ本体４３０の構成を例示する断面図であり、（Ａ）は図１９（Ｃ）のＢ−Ｂ断面図、（Ｂ）は図１９（Ｄ）のＣ−Ｃ断面図、（Ｃ）は図１９（Ｃ）のＡ−Ａ断面図である。
【００９７】
コネクタ本体４３０は、光導波路４１０の下面が接し、コアの端面がレンズアレイ４３１に対向する様に高さ方向における光導波路４１０の位置決めをする第１基準面４４１を有する。また、コネクタ本体４３０は、図２０（Ａ）及び（Ｃ）に示す様に、光導波路４１０の先端に接し、奥行方向における光導波路４１０の位置決めをする先端基準面４４３を有する。さらに、コネクタ本体４３０は、図２０（Ａ）及び（Ｂ）に示す様に、光導波路４１０の幅方向端部に接し、幅方向における光導波路４１０の位置決めをする第２基準面４４５を有する。
【００９８】
光導波路４１０は、先端が先端基準面４４３に接すると共に、下面が第１基準面４４１に接する様にコネクタ本体４３０に設置される。
【００９９】
接続ピン用孔４３５は、幅方向においてレンズアレイ４３１を挟む様に前面の２か所に設けられている。
【０１００】
（カバー）
図２１は、第４の実施形態におけるカバー４５０の構成を例示する図であり、（Ａ）は背面図、（Ｂ）は上面図、（Ｃ）は左側面図、（Ｄ）は正面図、（Ｅ）は右側面図、（Ｆ）は底面図である。
【０１０１】
カバー４５０は、図２１に示す様に、コネクタ本体４３０の開口部４３３の上面側を覆う上面カバー部４５３と、開口部４３３の側面側を覆う側面カバー部４５５を有し、開口部４３３を覆う様にコネクタ本体４３０に組み付けられる。
【０１０２】
カバー４５０には、図２１（Ｂ）、（Ｄ）、（Ｆ）に示す様に、前面に空気抜き溝４５１が設けられている。空気抜き溝４５１は、カバー４５０がコネクタ本体４３０の開口部４３３に組み付けられた状態で、開口部４３３の側壁との間で光導波路４１０の設置空間から外部に通じる空隙を形成する。
【０１０３】
また、カバー４５０には、コネクタ本体４３０の接続ピン用孔４３５に連結する連結孔４５７が設けられている。なお、連結孔４５７の代わりに、例えば接続ピンを通す窪み等の空間がカバー４５０に設けられてもよい。
【０１０４】
カバー４５０は、コネクタ本体４３０の開口部４３３に組み付けられた状態で、上面カバー部４５３の下面４５４が光導波路４１０の上面に接し、光導波路４１０をコネクタ本体４３０の第１基準面４４１に押圧する。光導波路４１０は、その上面が上面カバー部４５３の下面４５４に押圧されることで、下面が第１基準面４４１に面接触し、高さ方向に位置決めされる。
【０１０５】
また、カバー４５０がコネクタ本体４３０に組み付けられた状態で、側面カバー部４５５の内側面４５６が、光導波路４１０の幅方向端部に接する。光導波路４１０は、幅方向端部が側面カバー部４５５の内側面４５６とコネクタ本体４３０の第２基準面４４５とに接することで、幅方向に位置決めされる。
【０１０６】
上面カバー部４５３の下面４５４には、図２１（Ｃ），（Ｆ）に示す様に、コネクタ本体４３０の挿入口４３７側にテーパ面が設けられている。
【０１０７】
なお、上面カバー部４５３の下面４５４及び側面カバー部４５５の内側面４５６には、微小な凹凸が形成されていてもよい。コネクタ本体４３０又は光導波路４１０との間に塗布される接着剤が、微小な凹凸により生じる毛細管現象により全面に行き渡り、より強固な接合が得られる。
【０１０８】
（光導波路の位置決め）
図２２は、第４の実施形態における光導波路４１０の位置決めについて説明する図である。
【０１０９】
図２２（Ａ）に示す様に、複数のコア４１１が配列された光導波路４１０は、先端が図２２には不図示のコネクタ本体４３０の先端基準面４４３に突き当てられた状態で、第１基準面４４１に設置されている。光導波路４１０がコネクタ本体４３０に設置された状態で、コネクタ本体４３０の開口部４３３にカバー４５０が組み付けられる。
【０１１０】
図２２（Ａ）に示す様に、コネクタ本体４３０の開口部４３３へのカバー４５０の組み付け時には、上面カバー部４５３を図２２（Ａ）に示す矢印方向にセットする。これにより、上面カバー部４５３の下面４５４が、光導波路４１０の上面に接し、光導波路４１０をコネクタ本体４３０の第１基準面４４１に押圧する。
【０１１１】
次に、図２２（Ｂ）に示す様に、カバー４５０がコネクタ本体４３０の開口部４３３に嵌る様に図２２（Ｂ）に示す左方向に移動させると、側面カバー部４５５の内側面４５６が、光導波路４１０の図２２（Ｂ）における右端に接し、光導波路４１０を押圧して図２２（Ｂ）における左方向に移動させる。
【０１１２】
上記した様にカバー４５０がコネクタ本体４３０の開口部４３３に組み付けられると、光導波路４１０の上面が、上面カバー部４５３の下面４５４によって第１基準面４４１に向けて押圧されることで、高さ方向に位置決めされる。また、光導波路４１０は、幅方向端部がそれぞれ第２基準面４４５及び側面カバー部４５５の内側面４５６に接することで、幅方向に位置決めされる。
【０１１３】
光導波路４１０は、上記した様に、カバー４５０により高さ方向及び幅方向に位置決めされることで、複数のコア４１１の端面が、それぞれコネクタ本体４３０のレンズアレイ４３１の各レンズに対向する様に設けられる。
【０１１４】
以上で説明した様に、第４の実施形態に係る光コネクタ４００によれば、カバー４５０をコネクタ本体４３０の開口部４３３に嵌合させることで光導波路４１０が位置決めされ、複数のコア４１１とレンズアレイ４３１との位置合わせを簡易な構成で高精度に行うことが可能になっている。
【０１１５】
[第５の実施形態]
次に、第５の実施形態について図面に基づいて説明する。なお、既に説明した実施形態と同一構成部分についての説明は省略する場合がある。
【０１１６】
（光コネクタ）
図２３は、第５の実施形態における光コネクタ５００及び治具５５０の構成を例示する図である。図２３に示す様に、光コネクタ５００は、光導波路５１０、コネクタ本体５３０を有する。コネクタ本体５３０に挿入される光導波路５１０は、治具５５０によりコネクタ本体５３０における位置が決められる。
【０１１７】
光導波路５１０は、フィルム状に形成され、内部に光を伝播する複数のコアが配列されている。
【０１１８】
コネクタ本体５３０は、レンズアレイ５３１、第１開口部５３２、第２開口部５３３、第３開口部５３４、接続ピン用孔５３５を有する。コネクタ本体５３０は、例えば伝搬光に対し透明な樹脂を用いてモールド成型により形成される。レンズアレイ５３１は、複数のレンズがＸ方向に配列され、各レンズがコネクタ本体５３０に設置される光導波路５１０のコアの端部に対向する様に設けられている。
【０１１９】
第１開口部５３２、第２開口部５３３及び第３開口部５３４は、コネクタ本体５３０の光導波路５１０の設置空間に繋がる奥行方向に長いスリット状の開口であり、コネクタ本体５３０の上面側に設けられている。コネクタ本体５３０に挿入される光導波路５１０は、治具５５０により、複数のコアがコネクタ本体５３０のレンズアレイ５３１に対向する様に位置決めされる。
【０１２０】
治具５５０は、下方に突出する第１位置決め部５５２、中央押圧部５５３、第２位置決め部５５４を有する。第１位置決め部５５２、中央押圧部５５３及び第２位置決め部５５４は、それぞれ第１開口部５３２、第２開口部５３３及び第３開口部５３４に挿入され、コネクタ本体５３０に設置されている光導波路５１０の高さ方向及び幅方向の位置決めをする。
【０１２１】
（コネクタ本体）
図２４は、第５の実施形態におけるコネクタ本体５３０の構成を例示する図であり、（Ａ）は上面図、（Ｂ）は正面図、（Ｃ）は側面図、（Ｄ）は底面図、（Ｅ）は背面図を示している。
【０１２２】
コネクタ本体５３０の上面には、図２４（Ａ）に示す様に、第１開口部５３２、第２開口部５３３、第３開口部５３４が設けられている。また、コネクタ本体５３０の前面には、図２４（Ｂ）に示す様に、レンズアレイ５３１が設けられている。接続ピン用孔５３５は、幅方向においてレンズアレイ５３１を挟んでコネクタ本体５３０の前面に設けられている。コネクタ本体５３０の背面には、図２４（Ｅ）に示す様に、光導波路５１０が挿入される挿入口５３７が設けられている。
【０１２３】
図２５は、第５の実施形態におけるコネクタ本体５３０の構成を例示する断面図であり、（Ａ）は図２４（Ｃ）のＣ−Ｃ断面図、（Ｂ）は図２４（Ｂ）のＡ−Ａ断面図、（Ｃ）は図２４（Ｂ）のＢ−Ｂ断面図である。
【０１２４】
コネクタ本体５３０は、第１開口部５３２、第２開口部５３３、第３開口部５３４及び挿入口５３７に連結する空間が内部に形成されており、この空間に光導波路５１０が挿入されて設置される。コネクタ本体５３０は、図２５（Ａ）及び（Ｂ）に示す様に、光導波路５１０の下面が接し、コアの端面がレンズアレイ５３１に対向する様に、高さ方向における光導波路５１０の位置決めをする基準面５４１を有する。
【０１２５】
コネクタ本体５３０は、図２５（Ｂ）に示す様に、基準面５４１に対向し、基準面５４１との間隔がレンズアレイ５３１に向かって徐々に小さくなる傾斜面５４５を有する。光導波路５１０は、挿入口５３７から挿入され、先端が基準面５４１と傾斜面５４５との間を通って先端基準面５４３に突き当たる位置に設けられる。光導波路５１０は、コネクタ本体５３０への挿入時に傾斜面５４５にガイドされることで、下面が基準面５４１に接し、高さ方向の基準位置近傍に位置する様に設けられる。
【０１２６】
また、コネクタ本体５３０は、図２５（Ｂ）及び（Ｃ）に示す様に、光導波路５１０の先端に接し、奥行方向における光導波路５１０の位置決めをする先端基準面５４３を有する。光導波路５１０は、挿入口５３７から挿入され、先端が先端基準面５４３に接し、下面が基準面５４１に接する様にコネクタ本体５３０に設けられる。
【０１２７】
（治具）
図２６は、第５の実施形態における治具５５０の構成を例示する図であり、（Ａ）は上面図、（Ｂ）は正面図、（Ｃ）は側面図、（Ｄ）は底面図である。
【０１２８】
治具５５０には、図２６（Ｂ）及び（Ｄ）に示す様に、下面から突出する第１位置決め部５５２、中央押圧部５５３、第２位置決め部５５４が設けられている。
【０１２９】
中央押圧部５５３は、治具５５０がコネクタ本体５３０に挿入された状態で、光導波路５１０の上面に接し、光導波路５１０をコネクタ本体５３０の基準面５４１に向けて押圧する。光導波路５１０は、その上面が中央押圧部５５３によって押圧されることで、下面が基準面５４１に面接触し、高さ方向に位置決めされる。
【０１３０】
なお、治具５５０の中央押圧部５５３は、光導波路５１０のコアが設けられていない部分を押圧する様に設けられていることが好ましい。また、中央押圧部５５３は複数設けられてもよい。さらに、中央押圧部５５３の下面には、微小な凹凸が形成されていてもよい。光導波路５１０と中央押圧部５５３との間に塗布される接着剤が、微小な凹凸に生じる毛細管現象により光導波路５１０の全面に広がり、光導波路５１０がより強固にコネクタ本体５３０に接合される。
【０１３１】
第１位置決め部５５２及び第２位置決め部５５４は、治具５５０がコネクタ本体５３０に挿入された状態で、それぞれ光導波路５１０の幅方向端部に接し、幅方向における光導波路５１０の位置決めをする。
【０１３２】
治具５５０には、図２６（Ａ）に示す様に、四隅に第１空気抜き溝５５１が設けられている。第１空気抜き溝５５１は、治具５５０の第１位置決め部５５２及び第２位置決め部５５４が、それぞれ第１開口部５３２及び第３開口部５３４に挿入された状態で、第１開口部５３２及び第３開口部５３４の側壁との間で光導波路５１０の設置空間から外部に通じる空隙を形成する。治具５５０がコネクタ本体５３０に挿入される際に、コネクタ本体５３０の内部の空気が第１空気抜き溝５５１から外部に抜けることで、治具５５０のコネクタ本体５３０への挿入を容易に行うことが可能になっている。
【０１３３】
また、図２６（Ｂ）に示す様に、第１位置決め部５５２と中央押圧部５５３との間、及び、中央押圧部５５３と第２位置決め部５５４との間には、それぞれ第２空気抜き溝５５７が設けられている。治具５５０がコネクタ本体５３０に挿入される際に、治具５５０とコネクタ本体５３０との間に存在する空気が第２空気抜き溝５５７から外部に抜けることで、治具５５０のコネクタ本体５３０への挿入を容易に行うことが可能になっている。
【０１３４】
さらに、第１位置決め部５５２、中央押圧部５５３及び第２位置決め部５５４は、図２６（Ｂ），（Ｄ）に示す様に、周囲が面取りされており、面取りされた部分がそれぞれコネクタ本体５３０の第１開口部５３２、第２開口部５３３及び第３開口部５３４の側壁との間で空隙を形成する。面取りされた部分から空気が外部に抜けることで、コネクタ本体５３０への治具５５０の挿入をより容易に行うことが可能になる。
【０１３５】
図２７は、第５の実施形態における治具５５０の正面図を拡大した図である。
【０１３６】
第１位置決め部５５２は、治具５５０の幅方向端部に設けられている第１ガイド部５５２ａ、第１ガイド部５５２ａの内側（中央押圧部５５３側）に設けられている第１押圧部５５２ｂを有する。第１ガイド部５５２ａは、内側面が傾斜して下端に向かって先細りする様に形成されている。
【０１３７】
第２位置決め部５５４は、治具５５０の幅方向端部に設けられている第２ガイド部５５４ａ、第２ガイド部５５４ａの内側（中央押圧部５５３側）に設けられている第２押圧部５５４ｂを有する。第２ガイド部５５４ａは、内側面が傾斜して下端に向かって先細りする様に形成されている。
【０１３８】
Ｘ方向において、第１ガイド部５５２ａの内側面と第２ガイド部５５４ａの内側面との間隔Ｗは、光導波路５１０の幅と等しくなる様に形成されている。また、Ｚ方向において、中央押圧部５５３、第１押圧部５５２ｂ及び第２押圧部５５４ｂの下面から、第１ガイド部５５２ａ及び第２ガイド部５５４ａの下端までの高さＨは、光導波路５１０の厚さに等しくなる様に形成されている。
【０１３９】
（光導波路の位置決め）
図２８は、第５の実施形態における光導波路５１０の位置決めについて説明する図である。
【０１４０】
図２８（Ａ）に示す様に、複数のコア５１１が配列された光導波路５１０は、先端が図２８には不図示のコネクタ本体５３０の先端基準面５４３に突き当てられ、基準面５４１に設置されている。光導波路５１０がコネクタ本体５３０に設置された状態で、コネクタ本体５３０の第１開口部５３２、第２開口部５３３及び第３開口部５３４に、それぞれ治具５５０の第１位置決め部５５２、中央押圧部５５３及び第２位置決め部５５４が挿入される。なお、図２８（Ａ）に示す例では、光導波路５１０が、幅方向における基準位置よりも、治具５５０の第１位置決め部５５２側（図２８における右側）にずれて載置されている。
【０１４１】
図２８（Ｂ）に示す様に、治具５５０がコネクタ本体５３０に挿入されると、まず、第１位置決め部５５２の第１ガイド部５５２ａが光導波路５１０の幅方向端部（図２８（Ｂ）に示す右端）に接する。この様に、第１ガイド部５５２ａが光導波路５１０に接した状態で、治具５５０がコネクタ本体５３０に更に押し込まれると、第１ガイド部５５２ａの内側の傾斜面が光導波路５１０を押圧して図２８（Ｂ）における左方向に移動させる。
【０１４２】
治具５５０がコネクタ本体５３０に完全に挿入されると、図２８（Ｃ）に示す様に、光導波路５１０の上面は、中央押圧部５５３、第１押圧部５５２ｂ及び第２押圧部５５４ｂによって、基準面５４１に押圧され、高さ方向に位置決めされる。また、光導波路５１０は、第１ガイド部５５２ａにより図２８（Ｂ）に示す矢印方向に移動し、幅方向端部がそれぞれ第１ガイド部５５２ａ及び第２ガイド部５５４ａに接して固定され、幅方向に位置決めされる。
【０１４３】
光導波路５１０の位置決めがなされた後、コネクタ本体５３０に挿入された治具５５０は、図２８（Ｄ）に示す様に、コネクタ本体５３０から引き抜かれる。光導波路５１０は、治具５５０により位置決めされた状態で、例えば接着剤等によりコネクタ本体５３０に固定される。
【０１４４】
同様に、光導波路５１０が、幅方向の基準位置よりも治具５５０の第２位置決め部５５４側にずれて載置された場合には、第２ガイド部５５４ａが光導波路５１０を押圧して図２８における右方向に移動させて、光導波路５１０の幅方向の位置決めをすることができる。
【０１４５】
図２９は、第５の実施形態における光導波路５１０の位置決めについて説明する図であり、図２８とは別角度からの図面が示されている。
【０１４６】
図２９（Ａ）に示す様に、挿入口５３７から挿入された光導波路５１０は、先端が傾斜面５４５に沿って進入し、図２９（Ｂ）に示す様に、先端基準面５４３に突き当たる位置に設置される。光導波路５１０は、先端が傾斜面５４５に沿って挿入されることで、下面が基準面５４１に接する様に設置される。また、先端が先端基準面５４３に接することで、奥行方向に位置決めされる。
【０１４７】
光導波路５１０がコネクタ本体５３０に設置された図２９（Ｂ）の状態で、図２９（Ｃ）に示す様に、コネクタ本体５３０に治具５５０が挿入される。治具５５０がコネクタ本体５３０に挿入されると、光導波路５１０の上面は、中央押圧部５５３等により押圧され、その下面が基準面５４１に面接触して高さ方向に位置決めされる。また、治具５５０の第１ガイド部５５２ａ又は第２ガイド部５５４ａによって幅方向に移動され、幅方向に位置決めされる。治具５５０は、この様に光導波路５１０の位置決めをした後、図２９（Ｄ）に示す様に、コネクタ本体５３０から引き抜かれる。
【０１４８】
光導波路５１０は、上記した様に、治具５５０により高さ方向及び幅方向に位置決めされることで、複数のコア５１１の端面が、それぞれコネクタ本体５３０のレンズアレイ５３１の各レンズに対向する様に設けられる。
【０１４９】
以上で説明した様に、第５の実施形態では、光コネクタ５００に治具５５０を挿入することで光導波路５１０が位置決めされ、複数のコア５１１とレンズアレイ５３１との位置合わせを簡易な構成で高精度に行うことが可能になっている。
【０１５０】
[第６の実施形態]
次に、第６の実施形態について図面に基づいて説明する。なお、既に説明した実施形態と同一構成部分についての説明は省略する場合がある。
【０１５１】
（光コネクタ）
図３０は、第６の実施形態における光コネクタ６００及び治具６５０の構成を例示する図である。図３０に示す様に、光コネクタ６００は、光導波路６１０、コネクタ本体６３０を有する。コネクタ本体６３０に挿入される光導波路６１０は、治具６５０によりコネクタ本体６３０における位置が決められる。
【０１５２】
光導波路６１０は、フィルム状に形成され、内部に光を伝播する複数のコアが配列されている。
【０１５３】
コネクタ本体６３０は、レンズアレイ６３１、第１開口部６３２、第２開口部６３３、第３開口部６３４、接続ピン用孔６３５を有する。コネクタ本体６３０は、例えば伝搬光に対し透明な樹脂を用いてモールド成型により形成される。レンズアレイ６３１は、複数のレンズがＸ方向に配列され、各レンズがコネクタ本体６３０に設置される光導波路６１０のコアの端部に対向する様に設けられている。
【０１５４】
第１開口部６３２、第２開口部６３３及び第３開口部６３４は、コネクタ本体６３０の光導波路６１０の設置空間に繋がる奥行方向に長いスリット状の開口であり、コネクタ本体６３０の上面側に設けられている。コネクタ本体６３０に挿入される光導波路６１０は、治具６５０により位置決めされ、複数のコアがコネクタ本体６３０のレンズアレイ６３１に対向する様に設けられる。
【０１５５】
治具６５０は、下方に突出する位置決め部６５２、中央押圧部６５３、側端押圧部６５４を有する。位置決め部６５２、中央押圧部６５３及び側端押圧部６５４は、それぞれ第１開口部６３２、第２開口部６３３及び第３開口部６３４に挿入され、コネクタ本体６３０に設置されている光導波路６１０の高さ方向及び幅方向の位置決めをする。
【０１５６】
（コネクタ本体）
図３１は、第６の実施形態におけるコネクタ本体６３０の構成を例示する図であり、（Ａ）は上面図、（Ｂ）は正面図、（Ｃ）は側面図、（Ｄ）は底面図、（Ｅ）は背面図を示している。
【０１５７】
コネクタ本体６３０の上面には、図３１（Ａ）に示す様に、第１開口部６３２、第２開口部６３３、第３開口部６３４が設けられている。また、コネクタ本体６３０の前面には、図３１（Ｂ）に示す様に、レンズアレイ６３１が設けられている。接続ピン用孔６３５は、幅方向においてレンズアレイ６３１を挟んでコネクタ本体６３０の前面に設けられている。コネクタ本体６３０の背面には、図２（Ｅ）に示す様に、光導波路６１０が挿入される挿入口６３７が設けられている。
【０１５８】
図３２は、第６の実施形態におけるコネクタ本体６３０の構成を例示する断面図であり、（Ａ）は図３１（Ｃ）のＣ−Ｃ断面図、（Ｂ）は図３１（Ｂ）のＡ−Ａ断面図、（Ｃ）は図３１（Ｂ）のＢ−Ｂ断面図である。
【０１５９】
コネクタ本体６３０は、第１開口部６３２、第２開口部６３３、第３開口部６３４及び挿入口６３７に連結する空間が内部に形成されており、この空間に光導波路６１０が挿入されて設置される。コネクタ本体６３０は、図３２（Ａ）及び（Ｂ）に示す様に、光導波路６１０の下面に接し、コアの端面がレンズアレイ６３１に対向する様に、高さ方向における光導波路６１０の位置決めをする第１基準面６４１を有する。
【０１６０】
コネクタ本体６３０は、図３２（Ｂ）に示す様に、第１基準面６４１に対向し、第１基準面６４１との間隔がレンズアレイ６３１に向かって徐々に小さくなる第１傾斜面６４９を有する。光導波路６１０は、挿入口６３７から挿入され、先端が第１基準面６４１と第１傾斜面６４９との間を通って先端基準面６４３に突き当たる位置に設けられる。光導波路６１０は、コネクタ本体６３０への挿入時に第１傾斜面６４９にガイドされることで、下面が第１基準面６４１に接し、高さ方向の基準位置近傍に位置する様に設けられる。
【０１６１】
また、コネクタ本体６３０は、図３２（Ｂ）及び（Ｃ）に示す様に、光導波路６１０の先端に接し、奥行方向における光導波路６１０の位置決めをする先端基準面６４３を有する。光導波路６１０は、挿入口６３７から挿入され、先端が先端基準面６４３に接し、下面が第１基準面６４１に接する様にコネクタ本体６３０に設けられる。
【０１６２】
さらに、コネクタ本体６３０は、図３２（Ａ）及び（Ｃ）に示す様に、光導波路６１０の幅方向端部に接し、幅方向における光導波路６１０の位置決めをする第２基準面６４５を有する。コネクタ本体６３０の第２基準面６４５との対向面には、図３２（Ｃ）に示す様に、第２基準面６４５との間隔がレンズアレイ６３１に向かって狭くなる第２傾斜面６４７が設けられている。
【０１６３】
光導波路６１０は、挿入口６３７から挿入されると、幅方向の一方側端部が第２傾斜面６４７にガイドされて他方側端部が第２基準面６４５の近傍に位置する様にコネクタ本体６３０に設けられる。また、光導波路６１０は、先端が先端基準面６４３に接するまで挿入され、下面が第１基準面６４１に接する様にコネクタ本体６３０に設けられる。
【０１６４】
（治具）
図３３は、第６の実施形態における治具６５０の構成を例示する図であり、（Ａ）は上面図、（Ｂ）は左側面図、（Ｃ）は正面図、（Ｄ）は右側面図、（Ｅ）は底面図である。
【０１６５】
治具６５０には、図３３（Ｃ）及び（Ｅ）に示す様に、下面から突出する位置決め部６５２、中央押圧部６５３、側端押圧部６５４が設けられている。
【０１６６】
中央押圧部６５３は、治具６５０がコネクタ本体６３０に挿入された状態で、光導波路６１０の上面に接し、光導波路６１０をコネクタ本体６３０の第１基準面６４１に押圧する。また、側端押圧部６５４は、治具６５０がコネクタ本体６３０に挿入された状態で、光導波路６１０の幅方向端部の上面に接し、光導波路６１０をコネクタ本体６３０の第１基準面６４１に押圧する。
【０１６７】
位置決め部６５２は、治具６５０がコネクタ本体６３０に挿入された状態で、光導波路６１０の幅方向端部に接する。光導波路６１０は、幅方向端部が位置決め部６５２とコネクタ本体６３０の第２基準面６４５とに接する様に設けられることで、幅方向に位置決めされる。
【０１６８】
治具６５０には、図３３（Ａ）に示す様に、四隅に第１空気抜き溝６５１が設けられている。第１空気抜き溝６５１は、治具６５０の位置決め部６５２及び側端押圧部６５４が、それぞれ第１開口部６３２及び第３開口部６３４に挿入された状態で、第１開口部６３２及び第３開口部６３４の側壁との間で光導波路６１０の設置空間から外部に通じる空隙を形成する。治具６５０がコネクタ本体６３０に挿入される際に、コネクタ本体６３０の内部の空気が第１空気抜き溝６５１から外部に抜けることで、治具６５０のコネクタ本体６３０への挿入を容易に行うことが可能になっている。
【０１６９】
また、図３３（Ｃ）に示す様に、位置決め部６５２と中央押圧部６５３との間、及び、中央押圧部６５３と側端押圧部６５４との間には、それぞれ第２空気抜き溝６５７が設けられている。治具６５０がコネクタ本体６３０に挿入される際に、治具６５０とコネクタ本体６３０との間に存在する空気が第２空気抜き溝６５７から外部に抜けることで、治具６５０のコネクタ本体６３０への挿入を容易に行うことが可能になっている。
【０１７０】
さらに、第１位置決め部６５２、中央押圧部６５３及び側端押圧部６５４は、図３３（Ｃ），（Ｅ）に示す様に、周囲が面取りされており、面取りされた部分がそれぞれコネクタ本体６３０の第１開口部６３２、第２開口部６３３及び第３開口部６３４の側壁との間で空隙を形成する。面取りされた部分から空気が外部に抜けることで、コネクタ本体６３０への治具６５０の挿入をより容易に行うことが可能になる。
【０１７１】
図３４は、第６の実施形態における治具６５０の正面図を拡大した図である。
【０１７２】
位置決め部６５２は、治具６５０の幅方向端部に設けられているガイド部６５２ａ、ガイド部６５２ａの内側（中央押圧部６５３側）に設けられている押圧部６５２ｂを有する。ガイド部６５２ａは、内側面が傾斜して下端に向かって先細りする様に形成されている。
【０１７３】
Ｘ方向において、ガイド部６５２ａの内側面と側端押圧部６５４の外側面との間隔Ｗは、光導波路６１０の幅と等しくなる様に形成されている。また、Ｚ方向において、中央押圧部６５３、押圧部６５２ｂ及び側端押圧部６５４の下面から、ガイド部６５２ａの下端までの高さＨは、光導波路６１０の厚さに等しくなる様に形成されている。
【０１７４】
（光導波路の位置決め）
図３５は、第６の実施形態における光導波路６１０の位置決めについて説明する図である。
【０１７５】
図３５（Ａ）に示す様に、複数のコア６１１が配列された光導波路６１０は、先端が図３５には不図示のコネクタ本体６３０の先端基準面６４３に突き当てられ、第１基準面６４１に設置されている。光導波路６１０がコネクタ本体６３０に設置された状態で、コネクタ本体６３０の第１開口部６３２、第２開口部６３３及び第３開口部６３４に、それぞれ治具６５０の位置決め部６５２、中央押圧部６５３及び側端押圧部６５４が挿入される。
【０１７６】
図３５（Ｂ）に示す様に、治具６５０がコネクタ本体６３０に挿入されると、まず、位置決め部６５２のガイド部６５２ａが光導波路６１０の幅方向端部（図３５（Ｂ）に示す右端）に接する。ガイド部６５２ａが光導波路６１０に接した状態で、治具６５０がコネクタ本体６３０に更に押し込まれると、ガイド部６５２ａの内側の傾斜面が光導波路６１０を押圧して図３５（Ｂ）における左方向に移動させる。
【０１７７】
治具６５０がコネクタ本体６３０に完全に挿入されると、図３５（Ｃ）に示す様に、光導波路６１０は、中央押圧部６５３、押圧部６５２ｂ及び側端押圧部６５４によって、第１基準面６４１に押圧され、高さ方向に位置決めされる。また、光導波路６１０は、ガイド部６５２ａに押圧されて図３５（Ｂ）における矢印方向に移動し、幅方向端部がそれぞれガイド部６５２ａ及び第２基準面６４５に接して固定され、幅方向に位置決めされる。
【０１７８】
光導波路６１０の位置決めがなされた後、コネクタ本体６３０に挿入された治具６５０は、図３５（Ｄ）に示す様に、コネクタ本体６３０から引き抜かれる。光導波路６１０は、治具６５０により位置決めされた状態で、例えば接着剤等によりコネクタ本体６３０に固定される。
【０１７９】
光導波路６１０は、上記した様に、治具６５０により高さ方向及び幅方向に位置決めされることで、複数のコア６１１の端面が、それぞれコネクタ本体６３０のレンズアレイ６３１の各レンズに対向する様に設けられる。
【０１８０】
以上で説明した様に、第６の実施形態では、光コネクタ６００に治具６５０を挿入することで光導波路６１０が位置決めされ、複数のコア６１１とレンズアレイ６３１との位置合わせを簡易な構成で高精度に行うことが可能になっている。
【０１８１】
以上、実施形態に係る光コネクタ及び光コネクタの製造方法について説明したが、本発明は上記実施形態に限定されるものではなく、本発明の範囲内で種々の変形及び改良が可能である。
【符号の説明】
【０１８２】
１００，２００，３００，４００，５００，６００  光コネクタ
１１０，２１０，３１０，４１０，５１０，６１０  光導波路
１１１，２１１，３１１，４１１，５１１，６１１  コア
１３０，２３０，３３０，４３０，５３０，６３０  コネクタ本体
１３１，２３１，３３１，４３１，５３１，６３１  レンズアレイ
１３３，２３３，３３３，４３３  開口部
１４１，２４１，３４１，４４１，５４１，６４１  第１基準面
１４３，２４３，３４３，４４３，５４３，６４３  先端基準面
１５０，２５０  位置決め部材
１５１，２５１，３５１，４５１  空気抜き溝
１５３，２５３  中央押圧部（押圧部）
１５４，３５４，４５４  第１位置決め部
１５５  第２位置決め部
２４５，３４５，４４５，６４５  第２基準面
２４７  傾斜面
２５４  位置決め部（第１位置決め部）
３５０，４５０  カバー（位置決め部材）
３５３，４５３  上面カバー部（押圧部）
３５５，４５５  側面カバー部（位置決め部）
５３２，６３２  第１開口部（開口部）
５３３，６３３  第２開口部（開口部）
５３４，６３４  第３開口部（開口部）
５５０，６５０  治具
５５１，６５１  第１空気抜き溝（空気抜き溝）
５５２  第１位置決め部（位置決め部）
５５３，６５３  中央押圧部（押圧部）
６５２  位置決め部
【図１】
2015155969.tif 000003
【図２】
2015155969.tif 000004
【図３】
2015155969.tif 000005
【図４】
2015155969.tif 000006
【図５】
2015155969.tif 000007
【図６】
2015155969.tif 000008
【図７】
2015155969.tif 000009
【図８】
2015155969.tif 000010
【図９】
2015155969.tif 000011
【図１０】
2015155969.tif 000012
【図１１】
2015155969.tif 000013
【図１２】
2015155969.tif 000014
【図１３】
2015155969.tif 000015
【図１４】
2015155969.tif 000016
【図１５】
2015155969.tif 000017
【図１６】
2015155969.tif 000018
【図１７】
2015155969.tif 000019
【図１８】
2015155969.tif 000020
【図１９】
2015155969.tif 000021
【図２０】
2015155969.tif 000022
【図２１】
2015155969.tif 000023
【図２２】
2015155969.tif 000024
【図２３】
2015155969.tif 000025
【図２４】
2015155969.tif 000026
【図２５】
2015155969.tif 000027
【図２６】
2015155969.tif 000028
【図２７】
2015155969.tif 000029
【図２８】
2015155969.tif 000030
【図２９】
2015155969.tif 000031
【図３０】
2015155969.tif 000032
【図３１】
2015155969.tif 000033
【図３２】
2015155969.tif 000034
【図３３】
2015155969.tif 000035
【図３４】
2015155969.tif 000036
【図３５】
2015155969.tif 000037